(57)【要約】【課題】  美観を向上させながら、作業を効率的に進めることができるように、組立等の作業時等における危険を防止する屋根置台を提供することを目的とする。【解決手段】  傾斜屋根の高い側及び低い側にそれぞれ配置する後座板１１及び前座板１２と、これら後座板１１及び前座板１２とに支持され、空気調和機を載置するための一対の支持部１３とから構成される屋根置台であって、支持部１３はベース１４及びステー１５からなり、ベース１４は、一端側が後座板１１に、後側回動支持部材１６を介して回動可能に連結され、ステー１５は、一端側が前座板１２に、前側回動支持部材１７を介して回動可能に連結され、かつ、他端側がベース１４の他端側端面を覆うようにベース１４に回動可能に連結されてなる屋根置台。【選択図】  図１
2005164179.tif 000002
【特許請求の範囲】
【請求項１】
傾斜屋根の山側及び谷側にそれぞれ配置する後座板及び前座板と、これら後座板及び前座板とに支持され、空気調和機を載置するための一対の支持部とから構成される屋根置台であって、
前記支持部はベース及びステーからなり、前記ベースは、一端側が前記後座板に、後側回動支持部材を介して回動可能に連結され、前記ステーは、一端側が前記前座板に、前側回動支持部材を介して回動可能に連結され、かつ、他端側が前記ベースの他端側端面を覆うようにベースに回動可能に連結されてなることを特徴とする屋根置台。
【請求項２】
ステーの他端側が、３０°の傾斜屋根に屋根置台を取り付けた際に、ベース上面と略同じ高さに位置するように形成されてなる請求項１に記載の屋根置台。
【請求項３】
ステーの他端側が、１５〜２０°の傾斜屋根に屋根置台を取り付けた際に、ベース上面と略同じ高さに位置するように形成されてなる請求項１に記載の屋根置台。
【請求項４】
ステーの他端側が、１１°の傾斜屋根に屋根置台を取り付けた際に、ベース上面と略同じ高さに位置するように形成されてなる請求項１に記載の屋根置台。
【請求項５】
ベースとステーとの回動可能な連結が、前記ベースとステーとを貫通する締結部材によって行われ、該締結部材を軸としたベース及びステーの回動が阻害されないように、前記ベースの他端側の上面から端面にわたるコーナー部が丸く形成されてなる請求項１〜４のいずれか１つに記載の屋根置台。
【請求項６】
ステーの他端側上部にキャップが装着されてなる請求項１〜５のいずれか１つに記載の屋根置台。
【請求項７】
支持部はさらに調整板を備えており、該調整板は、前側回動支持部材と後側回動支持部材とに接続されて配置される請求項１〜６のいずれか１つに記載の屋根置台。
【請求項８】
調整板は、断面形状がコの字形状のアルミニウムによって形成されてなる請求項１〜７のいずれか１つに記載の屋根置台。
【請求項９】
前側回動支持部材は、前座板と掛合する脚座と、締結部材によってステーと連結するための締結部とからなり、前記脚座は、前記ステーよりも幅広に形成され、前記ステーの下側方において前座板に固定するための固定孔を有する請求項１〜８のいずれか１つに記載の屋根置台。
【請求項１０】
後側回動支持部材は、後座板と掛合する脚座と、締結部材によってベースと連結するための締結部とからなり、前記脚座は、前記ベースよりも幅広に形成され、前記ベースの端部側方において後座板に固定するための固定孔を有する請求項１〜９のいずれか１つに記載の屋根置台。
【発明の詳細な説明】
【技術分野】
【０００１】
本発明は、屋根置台に関し、より詳細には、空気調和機等の被載置物を種々の傾斜角度を有する屋根に据え付けるために使用される屋根置台に関する。
【背景技術】
【０００２】
従来から、エアコン等の室外機を、種々の傾斜角度を有するいずれの屋根においても据え付けることができるように、角度調整機能が付加された屋根置台が用いられていた（例えば、特許文献１〜３）。
このようなの屋根置台は、例えば、図１４に示すように、傾斜屋根の山側及び谷側にそれぞれ配置する後座板１１１及び前座板１１２と、これら後座板１１１及び前座板１１２とに支持され、空気調和機を載置するための一対の支持部１１３とから構成される。
支持部１１３は、ベース１１４及びステー１１５からなり、ベース１１４は、一端側（後側）が後座板１１１に、後脚部材１１６を介して連結されている。ステー１１５は、一端側（下側）が前座板１１２に、前脚部材１１７を介して連結されている。また、ステー１１５の他端側（上側）は、ベース１１４の他端側（前側）において、下方からベース１１４を支え、回動可能に連結されている。さらに、ベース１１４の一端側からステー１１５の一端側にまたがるように、ベース１１４と後脚部材１１６との連結、ステー１１５と前脚部材１１７との連結にそれぞれ用いられる締結部材１２０ａ、１２０ｂを利用して、その両端部に複数の孔１１８が形成された角度調整板１１９が取り付けられて構成されている。
【０００３】
しかし、このような屋根置台１００は、設置しようとする屋根の傾斜角度や広さ等が様々であり、空気調和機の大きさに対応させる必要から、ベース１１４や角度調整板１１９等を大きめのサイズに設定している。そのため、通常の使用では、ベース１１４の他端側、つまり、谷側に配置する端部において、ステー１１５との連結部から相当に突出する。したがって、屋根置台を組み立てる工事中などに、顔や手足を傷つけるという危険が伴う。
また、突出端部は、そのエッジがむき出しとなっているが、通常、突出端部は谷側に位置するため、目にふれる機会が多く、屋根置台自体の美観を損ねることとなる。
【特許文献１】特開２００２−６１８９０号公報
【特許文献２】特開２００２−１０６８８８号公報
【特許文献３】特開２００３−１８５１９２号公報
【発明の開示】
【発明が解決しようとする課題】
【０００４】
本発明は、上記課題に鑑みなされたものであり、美観を向上させながら、作業を効率的に進めることができるように、組立等の作業時等における危険を防止する屋根置台を提供することを目的とする。
【課題を解決するための手段】
【０００５】
本発明の屋根置台は、傾斜屋根の山側及び谷側にそれぞれ配置する後座板及び前座板と、これら後座板及び前座板とに支持され、空気調和機を載置するための一対の支持部とから構成される屋根置台であって、
前記支持部はベース及びステーからなり、前記ベースは、一端側が前記後座板に、後側回動支持部材を介して回動可能に連結され、前記ステーは、一端側が前記前座板に、前側回動支持部材を介して回動可能に連結され、かつ、他端側が前記ベースの他端側端面を覆うようにベースに回動可能に連結されてなることを特徴とする。
【０００６】
また、上記屋根置台において、ステーの他端側が、３０°の傾斜屋根に屋根置台を取り付けた際に、ベース上面と略同じ高さに位置するように形成されてなるか、ステーの他端側が、１５〜２０°の傾斜屋根に屋根置台を取り付けた際に、ベース上面と略同じ高さに位置するように形成されてなるか、ステーの他端側が、１１°の傾斜屋根に屋根置台を取り付けた際に、ベース上面と略同じ高さに位置するように形成されていてもよい。
さらに、ベースとステーとの回動可能な連結が、前記ベースとステーとを貫通する締結部材によって行われ、該締結部材を軸としたベース及びステーの回動が阻害されないように、前記ベースの他端側の上面から端面にわたるコーナー部が丸く形成されていてもよい。
【０００７】
また、ステーの他端側にキャップが装着されていてもよい。
さらに、支持部はさらに調整板を備えており、該調整板は、前側回動支持部材と後側回動支持部材とに接続されて配置されていてもよい。
また、調整板は、断面形状がコの字形状のアルミニウムによって形成されていてもよい。
前側回動支持部材は、前座板と掛合する脚座と、締結部材によってステーと連結するための締結部とからなり、前記脚座は、前記ステーよりも幅広に形成され、前記ステーの下側方において前座板に固定するための固定孔を有していてもよい。
後側回動支持部材は、後座板と掛合する脚座と、締結部材によってベースと連結するための締結部とからなり、前記脚座は、前記ベースよりも幅広に形成され、前記ベースの端部側方において後座板に固定するための固定孔を有していてもよい。
【発明の効果】
【０００８】
本発明の屋根置台によれば、支持部を構成するステーの他端側が、ベースの他端側端面を覆うように、ベースに回動可能に連結されているため、ベース端部が突出することなく、屋根置台を組み立てる工事中などに、顔や手足を傷つけるという危険を防止することができる。また、突出端部において、エッジのむき出しをなくすことができるため、危険の防止に加えて、屋根置台自体の美観を向上させることができる。
【０００９】
さらに、上記屋根置台において、３０°、１５〜２０°又は１１°の傾斜角度を有する屋根に、屋根置台を取り付けた際に、ステーの他端側がベース上面と略同じ高さに位置するように形成される場合には、支持部上への空気調和機の載置の邪魔にならず、安定して空気調和機を固定させることができる。また、どのような傾斜角度を有する屋根に取り付けた場合においても、ステーがベースの他端側端面を覆うことができるため、ベース他端側端面のエッジによる美観の劣化及び安全性の低下を防止することができる。
ベースとステーとの回動可能な連結が、前記ベースとステーとを貫通する締結部材によって行われ、該締結部材を軸としたベース及びステーの回動が阻害されないように、前記ベースの他端側の上面から端面にわたるコーナー部が丸く形成されてなる場合には、屋根の傾斜角度に対応して、種々の角度で屋根置台を組み立てた場合においても、安定して設置することができ、さらに、安定して屋根置台の上に空気調和機を載置することができる。
【００１０】
ステーの他端側にキャップが装着されてなる場合には、支持部におけるステーとベースとの連結部分となる角部がキャップによって覆われることとなるために、屋根置台を組み立てる工事中などに、角部に触れることによる顔や手足を傷つけるという危険を防止することができ、組み立て時の安全性を確保することができる。また、ステーの他端側は、通常、谷側となり、人目に触れやすいために、キャップによって、屋根置台自体の美観を向上させることができる。さらに、３０°、１５〜２０°又は１１°等の様々な傾斜角度を有する屋根に屋根置台を取り付ける場合においても、確実にベースの他端側端部のエッジを覆うことができる。
【００１１】
また、支持部はさらに調整板を備え、該調整板が前側回動支持部材と後側回動支持部材とに接続されて配置される場合には、ベースとステーとを強固に固定することができ、空気調和機等の載置を安定化することができる。
さらに、調整板は、断面形状がコの字形状のアルミニウムによって形成されてなる場合には、アルミニウムという材料に基づいて軽量化を図ることができ、かつコの字形状とすることにより、その強度を確保することができる。
また、前／後側回動支持部材は、前／後座板と掛合する脚座と、締結部材によってステー又はベースと連結するための締結部とからなり、前記脚座は、前記ステーよりも幅広に形成され、前記ステーの下側方、あるいはベースの端部側方において前／後座板に固定するための固定孔（例えば、単なる孔、螺子孔等）を有する場合には、従来のステー直下又はベースの直下部における脚座の前／後座板への固定を、ステーやベースの側方において行えるために、固定作業を容易かつ迅速に行うことができ、作業効率を向上させることができる。
【発明を実施するための最良の形態】
【００１２】
本発明の屋根置台の実施例を図面に基づいて詳細に説明する。なお、この明細書においては、特に断りのない限り、ベースの一端側とは、組み立てた場合において後側を意味し、他端側は前側を意味する。また、ステーの一端側とは、組み立てた場合において下側を意味し、他端側は上側を意味する。
【００１３】
実施例１
この実施例の屋根置台１０は、図１の斜視図、図２（ａ）、（ｂ）及び（ｃ）の平面図、正面図、側面図に示すように、主として、傾斜屋根の山側及び谷側にそれぞれ配置する後座板１１及び前座板１２と、これら後座板１１及び前座板１２とに支持され、空気調和機を載置するための一対の支持部１３とから構成される。
後座板１１及び前座板１２は、図３に示すように、それぞれ、中空構造であり、上面中央部に溝１１ａ、１２ａが形成され、底部に滑り止め１１ｂ、１２ｂが取り付けられて構成されている。
支持部１３は、図１、図２（ｃ）に示すように、ベース１４及びステー１５から構成されている。
【００１４】
ベース１４は、図４（ａ）、（ｂ）及び（ｃ）の平面図、側面図、断面図にそれぞれ示すように、下方が開放し、上面中央部に溝１４ａが形成され、上面の下側に両側面の中央部付近を連結する補強壁２３を有している。ベース１４上面の溝１４ａには、ベース１４上に載置する空気調和機の振動を吸収するための防振ゴム２４が、空気調和機とベース１４とを固定するボルト２５によって取り付けられている。また、一端側であって、補強壁２３よりも下側の側面に、ボルト２１を挿入するための孔２６が形成されており、他端側であって、補強壁２３よりも上側の側面に、ボルト２０を挿入するための孔２７が形成されている。
ベース１４は、図５に示すように、一端側において、後側回動支持部材１６とボルト２１により連結されている。この連結では、ベース１４を、ボルト２１を軸として回動させることができ、ボルト２１をナットで締結することにより、ベース１４が後側回動支持部材１６に固定される。さらに、後側回動支持部材１６は、後座板１１の溝１１ａにはめ込まれて、固定螺子３８により、後座板１１に固定されている。
【００１５】
ステー１５は、図６（ａ）、（ｂ）及び（ｃ）の平面図、側面図、断面図にそれぞれ示すように、断面形状がコの字状の壁体によって形成されており、両端のほぼ同じ位置、つまり、やや先端側に、ボルト２０、２２をそれぞれ挿入するための孔２８、２９が形成されている。
また、図７に示すように、ステー１５は、その一端側において、前側回動支持部材１７とボルト２２により連結されている。この連結では、ステー１５を、ボルト２２を軸とした軸回転によって回動させることができ、ボルト２２をナットで締結することにより、ステー１５が前側回動支持部材１７に固定される。さらに、前側回動支持部材１７は、前座板１２の溝１２ａにはめ込まれて、固定螺子３８により前座板１２に固定されている。
【００１６】
さらに、図８に示すように、ステー１５は、その他端側において、ベース１４の他端側の端面１４ｂを覆うように、ベース１４とステー１５とを貫通するボルト２０により軸支、つまり連結されている。この連結では、ステー１５又はベース１４を、ボルト２０を軸とした軸回転によって回動させることができ、ボルト２０をナットで締結することにより、ステー１５とベース１４とが固定される。これにより、ベース１４の他端側の端面１４ｂが露出することがなくなり、作業中の安全を確保することができるとともに、美観を向上することができる。
【００１７】
後側回動支持部材１６及び前側回動支持部材１７は、略同一の形状であり、図９（ａ）、（ｂ）に示すように、それぞれ、後座板１１及び前座板１２の溝１１ａ、１２ａ（図１参照）にはめ込むための脚座３０と、脚座３０の上面に突出する締結部３１とからなる。締結部３１には、後座板１１及び前座板１２の溝１１ａ、１２ａにはめ込んだ際に溝１１ａ、１２ａの延長方向と同じ方向に開いた孔３２が形成されている。さらに、脚座３０には、後座板１１又は前座板１２に固定するための締結部材を挿入するための固定孔３３が形成されている。固定孔３３は、後座板１１及び前座板１２の溝１１ａ、１２ａにはめ込んだ際の溝１１ａ、１２ａの巾方向において、締結部３１に隣接する位置に形成されている。
【００１８】
また、この実施例の屋根置台１０では、図２（ｃ）及び図１０（ａ）、（ｂ）等に示したように、ベース１４の一端側からステー１５の一端側にまたがるように、つまり、後側回動支持部材１６と前側回動支持部材１７とが接続されるように、ベース１４と後側回動支持部材１６との連結、ステー１５と前側回動支持部材１７との連結にそれぞれ用いられるボルト２１、２２を利用して、支持部１３の角度を調整するための鋸歯孔３４が両端に形成された角度調整板３５が取り付けられている。つまり、ベース１４とステー１５とを適当な角度に交差させるとともに、ベース１４及び後側回動支持部材１６、ステー１５及び前側回動支持部材１７を、それぞれ適切な角度に調整する。そして、ベース１４と後側回動支持部材１６とを連結するボルト２１、ステー１５と前側回動支持部材１７とを連結するボルト２２を、それぞれ、角度調整板３５に形成された鋸歯孔３４のうちもっとも適切な孔、つまり、ベース１４とステー１５との交差角度を維持することができる孔に挿入する。これによって、ベース１４とステー１５との角度を、角度調整板３５によって固定することができる。また、種々の傾斜角度、例えば、通常の傾斜角度の範囲である１１°〜３０°程度の屋根上であっても、上述したようにベース１４とステー１５との角度を調整することにより、ベース１４を水平に維持することができる。
なお、角度調整板３５は、図１０（ｂ）に示したように、断面形状がコの字状に形成されている。これにより、角度調整板３５自体の強度を確保することができる。
【００１９】
この屋根置台１０は、例えば、図１１（ａ）に示したように、３０°と、もっとも傾斜の大きな屋根として想定されている角度で据え付ける場合には、ベース１４とステー１５とが１００°前後で交差するように連結される。また、ベース１４は、後座板１１にはめ込まれた後側回動支持部材１６によって、後座板１１が屋根上にその底面が当接して載置されるように回動しながら、角度が調整される。そして、この後側回動支持部材１６を介して後座板１１に固定される。同様に、ステー１５は、前座板１２にはめ込まれた前回動支持部材１７によって、前座板１２が屋根上にその底面が当接して載置されるように回動しながら、角度が調整される。そして、この前側回動支持部材１７を介して前座板１２に固定される。また、ステー１５とベース１４との連結角度は、上述したように、角度調整板３４における鋸歯孔３４を利用して、維持、固定されている。
【００２０】
ベース１４とステー１５との連結部分においては、ステー１５が、ベース１４の端面１４ｂを覆い、さらに、ステー１５の他端側端部が、ベース１４の上面と略同じ高さに位置している。また、ステー１５は、ステー１５を側面側から見た場合に、ステー１５の端部のコーナー部分が切欠されたように（図１１（ａ）中、Ｍ参照）、加工されている。ステー１５の切欠された部分Ｍは、例えば、図１１（ｂ）に示したように、１１°と、もっとも傾斜の小さな屋根として想定されている角度で屋根置台１０を据え付ける場合に、ベース１４の上面から若干上側に位置するが、ベース１４の上面と略平行であって、かつ略同じ高さに配置される。したがって、１１〜３０°という、通常屋根の傾斜角度として想定されている範囲内で、ステー１５の他端側端部がベース１４の上面から突出してベース１４上への空気調和機の載置を邪魔することを回避でき、ベース１４上へ空気調和機を安定的に設置することができる。
【００２１】
なお、本発明の屋根置台１０を構成する後座板１１、前座板１２、ベース１４、ステー１５、後側回動支持部材１６、前側回動支持部材１７は、アルミニウムの押し出し成型により製造される。つまり、塊状のアルミニウムを押し出し成型機に投入し、アルミニウムを軟化させながら、後座板１１等の各部材の断面形状に対応する形状の口金を通して押し出し、所定の長さに切断することにより製造することができる。
このような押し出し成型により、複雑な断面形状を有する後座板１１等の各部材が、折り曲げ加工等の複雑な作業を経ることなく、精密にかつ簡便に機械加工することができる。
【００２２】
実施例２
この実施例の屋根置台は、図１２（ａ）に示したように、傾斜角度が３０°と、もっとも大きな角度として想定されている角度を有する屋根上に据え付けた場合に、ベース１４とステー１５との連結部において、ベース１４の上面とステー１５の他端側端部とがほとんど同じ高さに位置するように、ステー１５の端面が２段階の切断で形成されている（図１２（ａ）中、Ｎ及びＬ参照）ことと、ベース１４の上面から端面にかけてのコーナー部が丸みを帯びるように加工されていること以外、実質的に実施例１の屋根置台と同様である。
このような構成により、屋根の傾斜角度が、３０°という、想定される最も大きな傾斜角度であっても、ステー１５の他端側の端部が空気調和機の載置の邪魔をすることなく、ベース１４上へ空気調和機を安定的に設置することができる。
また、ベース１４の他端側の上面から端面にかけてのコーナー部が丸く加工されているために、ステーの回動を阻害することがない。
【００２３】
実施例３
この実施例の屋根置台は、図１２（ｂ）に示したように、傾斜角度が１５〜２０°と、通常の屋根の傾斜角度で据え付けた場合に、ベース１４とステー１５との連結部において、ベース１４の上面とステー１５の端部とがほとんど同じ高さに位置するように、ステー１５の端面が切断されている形状（図１２（ｂ）中、Ｐ参照）を有していることと、ベース１４の上面から端面にかけてのコーナー部が丸みを帯びるように加工されていること以外、実質的に実施例１の屋根置台と同様である。
このような構成により、屋根の傾斜角度として通常の範囲内において、ステー１５の他端側の端部が空気調和機の載置の邪魔をすることなく、ベース１４上へ空気調和機を安定的に設置することができる。
また、ベース１４の他端側の上面から端面にかけてのコーナー部が丸く加工されているために、ステーの回動を阻害することがない。
【００２４】
実施例４
この実施例の屋根置台は、図１２（ｃ）に示したように、傾斜角度１１°と、もっとも傾斜の小さな角度として想定されている角度を有する屋根上に据え付けた場合に、ベース１４とステー１５との連結部において、ベース１４の上面とステー１５の端部とがほとんど同じ高さに位置するように、ステー１５の端面が切断された形状（図１２（ｂ）中、Ｓ参照）を有している以外、実質的に実施例１の屋根置台と同様である。
このような構成により、屋根の傾斜角度として１１°と、最も小さい場合において、ステー１５の他端側の端部が空気調和機の載置の邪魔をすることなく、ベース１４上へ空気調和機を安定的に設置することができる。
【００２５】
実施例５
この実施例の屋根置台は、図１２（ｄ）に示したように、３０°と、もっとも傾斜の大きな屋根として想定されている角度で据え付けた場合に、ベース１４とステー１５との連結部において、ベース１４の上面とステー１５の端部とがほとんど同じ高さに位置し、かつ、ステー１５のエッジ部分をキャップ３６で覆っている以外、実質的に実施例１の屋根置台と同様である。
このような構成により、ステー１５のエッジがカバーされるために、屋根置台を組み立てる工事中などに、このエッジに触れることによって顔や手足を傷つけるという危険を防止することができ、組立時の安全性を確保することができる。
また、ステーの他端側は、通常、屋根上においては谷側となり、人目に触れやすいために、キャップによって、屋根置台自体の美観を向上させることができる。しかも、ステー１５の切断の角度にかかわらず、確実にベースの他端側端部の端面を隠すことができる。
【００２６】
実施例６
この実施例の屋根置台は、図１２（ｅ）に示したように、一般的な屋根の傾斜角度である１１〜３０°の範囲内で、ベース１４とステー１５との連結部において、ベース１４の上面とステー１５の端部とがほとんど同じ高さに位置するように、ステー１５のベース１４側の端部が、側面側から見て、円弧形状（図１２（ｅ）中、Ｔ参照）となるように形成されており、ステー１５とベース１４とを貫通して連結する締結部材２０の位置が変更している以外、実質的に実施例１の屋根置台と同様である。
このような構成により、屋根の傾斜角度の変動に応じてベース１４とステー１５との連結角度を調整する場合においても、確実にベースの他端側端部の端面を隠すことができる。
【００２７】
実施例７
この実施例における屋根置台は、図１３（ａ）、（ｂ）に示したように、後側回動支持部材及び前側回動支持部材の形状が異なる以外、実質的に実施例１の屋根置台と同様である。
つまり、後側回動支持部材１６ａ及び前側回動支持部材１７ａは、それぞれ、脚座３０ａがステー１５の巾よりも幅広に形成されている。例えば、ステー１５の巾（図２（ｂ）中の巾Ｙ）が４０〜６０ｍｍ程度の場合には、脚座３０ａの巾（図１３（ａ）中、巾Ｚ又はＺ’）は、５０〜１００ｍｍ程度に形成されている。また、脚座３０ａに、後座板１１又は前座板１２に固定するための締結部材を挿入するための固定孔３３ａが形成されているが、この固定孔３３ａは、後側回動支持部材１６ａ及び前側回動支持部材１７ａを、後座板１１及び前座板１２の溝１１ａ、１２ａにはめ込んだ際の溝１１ａ、１２ａの延長方向において、締結部３１ａに隣接する位置に形成されている。
このような構成により、後側回動支持部材１６ａ及び前側回動支持部材１７ａを、後座板１１及び前座板１２に、それぞれ固定する場合に、従来のステー直下における脚座の前座板への固定を、ステーの側方において行えるために、固定作業を容易かつ迅速に行うことができ、作業効率を向上させることができる。
【００２８】
変形例
（１）実施例７における脚座３０ａの固定孔３３ａは、いずれか一方のみでもよい。また、脚座３０ａのＢ部分がなくてもよい。
（２）実施例１等におけるベース１４の形状は、下方が開放されていなくてもよいし、上面中央部に配置する溝１４ａに代えて、長孔が１つ又は２つ以上形成されていてもよい。また、補強板２３は必ずしも形成されていなくてもよい。さらに、ステー１５の形状は、コの字形状の壁体の内側に補強壁が設けられ、ベース１４や前回動部材１７との連結部において、補強壁が切欠かれていてもよい。
（３）実施例１〜５において、ステー１５の端部の切断角度は、任意に設定することができる。また、切断するのみならず、ステー１５の端部が、図１２（ｆ）に示すように、内側に屈曲するような形状（図１２（ｆ）中、Ｕ参照）でもよい。
（４）実施例５におけるキャップは、どの実施例に適用してもよい。
【産業上の利用可能性】
【００２９】
本発明の屋根置台は、空気調和機をはじめ、屋根上に載置することができる全ての装置に対して幅広い分野で利用することができる。
【図面の簡単な説明】
【００３０】
【図１】本発明の屋根置台の実施例１を示す斜視図である。
【図２】本発明の屋根置台の実施例１を示す平面図（ａ）、平面図（ｂ）及び側面図（ｃ）である。
【図３】図１の屋根置台における前後座板を示す断面図である。
【図４】図１の屋根置台におけるベースを示す平面図（ａ）、側面図（ｂ）及び断面図（ｃ）である。
【図５】図１におけるＡの拡大図（ａ）、この拡大図（ａ）の側面図（ｂ）である。
【図６】図１の屋根置台におけるステーを示す平面図（ａ）、側面図（ｂ）及び断面図（ｃ）である。
【図７】図１におけるＣの拡大図（ａ）、この拡大図（ａ）の側面図（ｂ）である。
【図８】図１におけるＢの拡大図（ａ）、この拡大図（ａ）の側面図（ｂ）である。
【図９】図１の屋根置台における前後回動部材を示す平面図（ａ）及びＡ−Ａ線断面図（ｂ）である。
【図１０】図１の屋根置台における角度調整板の側面方向から見た図（ａ）及びＡ−Ａ線断面図（ｂ）である。
【図１１】図１の屋根置台の設置状態を説明するための図である。
【図１２】本発明の屋根置台のベースとステーとの種々の連結状態を説明するための図（（ａ）〜（ｆ））である。
【図１３】図１の屋根置台における前後回動部材の別の例を示す平面図（ａ）及びＡ−Ａ線断面図（ｂ）である。
【図１４】従来の屋根置台を示す斜視図である。
【符号の説明】
【００３１】
１０  屋根置台
１１  後座板
１１ａ、１２ａ、１４ａ  溝
１１ｂ、１２ｂ  滑り止め
１２  前座板
１３  支持部
１４  ベース
１４ｂ  端面
１５  ステー
１６、１６ａ  後側回動支持部材
１７、１７ａ  前側回動支持部材
２３  補強壁
２４  防振ゴム
２５  固定部材
２０、２１、２２  ボルト
２６、２７、２８、２９、３２、３２ａ  孔
３０、３０ａ  脚座
３１、３１ａ  締結部
３３、３３ａ  固定孔
３４  鋸歯孔
３５  角度調整板
３６  キャップ
３８  固定螺子
【図１】
2005164179.tif 000003
【図２】
2005164179.tif 000004
【図３】
2005164179.tif 000005
【図４】
2005164179.tif 000006
【図５】
2005164179.tif 000007
【図６】
2005164179.tif 000008
【図７】
2005164179.tif 000009
【図８】
2005164179.tif 000010
【図９】
2005164179.tif 000011
【図１０】
2005164179.tif 000012
【図１１】
2005164179.tif 000013
【図１２】
2005164179.tif 000014
【図１３】
2005164179.tif 000015
【図１４】
2005164179.tif 000016